(57)【要約】  【課題】  ライン状発光素子アレイとレンズアレイが組み合わされてなる露光ヘッドにおいて、露光光のアレイ長軸方向に亘る光量偏差による画像濃度ムラを視認され難くする。  【解決手段】  複数の発光素子20が並設されてなるライン状発光素子アレイ、およびレンズ７ａが並設されてなるレンズアレイ７を備えた露光ヘッドにおいて、複数の発光素子20を共通の発光指令信号に基づいて一律点灯させ、そのときレンズアレイ７から出射した光の光量を、発光素子20の並びピッチ以下の測光ピッチでアレイ全長に亘って測定する。このように測定された光量に基づいて、各発光素子20毎に、発光素子並び方向に亘るレンズアレイのレンズ配置ピッチ周期の光量偏差が短周期化するように発光量を補正する光量補正係数Ｐnを求める。そして露光時に、画像信号に基づいて制御される発光素子20の発光量を上記光量補正係数Ｐnに基づいて補正する。【選択図】          図９
2006240214.tif 000002
【特許請求の範囲】
【請求項１】
複数の発光素子が１列に並設されてなり、各発光素子の発光量が、露光画像を担持する画像信号に基づいて独自に制御されるライン状発光素子アレイ、および、前記発光素子から発せられた光を各々集光する複数の等倍結像レンズが、前記発光素子の並び方向と略平行に並ぶ状態に集合されてなり、前記光を露光対象の感光材料上に集光させるレンズアレイを備えた露光ヘッドにおいて、
前記レンズアレイから出射した光の、発光素子の並び方向に亘る光量偏差による画像濃度ムラの視認性を低下させるように各発光素子の発光量を補正する方法であって、
前記各発光素子の発光量を、レンズアレイのレンズ配置ピッチ周期の光量偏差が短周期化するように補正することを特徴とする露光ヘッドの光量補正方法。
【請求項２】
前記ライン状発光素子アレイの各発光素子を、共通の発光指令信号に基づいて一律点灯させ、
そのとき前記レンズアレイから出射した光の光量を、発光素子の並びピッチ以下の測光ピッチでアレイ全長に亘って測定し、
これらの測定された光量を、２つの発光素子の間に有る境界位置毎に、発光素子の並びピッチと等しい区間について積分し、
各発光素子の光量補正係数を、少なくとも当該発光素子の両側に有る２つの前記境界位置について求められた積分光量に基づいて求め、
前記感光材料を露光する際に、前記画像信号に基づいて制御される発光素子の発光量を、当該発光素子についての前記光量補正係数に基づいて補正することを特徴とする請求項１記載の露光ヘッドの光量補正方法。
【請求項３】
前記ライン状発光素子アレイにおけるn番目の発光素子と(n＋1)番目の発光素子との前記境界位置をn/n＋1とし、境界位置n/n＋1における前記積分光量をＬ（n/n＋1）としたとき、
全ての前記境界位置における積分光量の平均値Ｌ０を求め、
境界位置n/n＋1についての光量補正係数をＫ（n/n＋1）＝１−Ｌ（n/n＋1）／Ｌ０として求め、
n番目の発光素子についての前記光量補正係数Ｐnを、Ｑを係数として、
Ｐn＝１−Ｑ｛−Ｋ（n−2/n−1）＋Ｋ（n−1/n）＋Ｋ（n/n＋1）−Ｋ（n＋1/n＋2）｝
として求めることを特徴とする請求項２記載の露光ヘッドの光量補正方法。
【請求項４】
前記各発光素子の発光量を、レンズアレイのレンズ配置ピッチ周期の光量偏差が短周期化するように補正する前に、
各発光素子の発光量を均一化させるための補正を行うことを特徴とする請求項１〜３いずれか１項記載の露光ヘッドの光量補正方法。
【請求項５】
請求項１〜４いずれか１項記載の露光ヘッドの光量補正方法を実施する露光装置であって、
複数の発光素子が１列に並設されてなり、各発光素子の発光量が、露光画像を担持する画像信号に基づいて独自に制御されるライン状発光素子アレイ、および、前記発光素子から発せられた光を各々集光する複数の等倍結像レンズが、前記発光素子の並び方向と略平行に並ぶ状態に集合されてなり、前記光を露光対象の感光材料上に集光させるレンズアレイを備えた露光ヘッドと、
この露光ヘッドと前記感光材料とを、前記発光素子の並び方向と略直交する方向に相対移動させる副走査手段と、
前記ライン状発光素子アレイの各発光素子の発光量を、レンズアレイのレンズ配置ピッチ周期の光量偏差が短周期化するように補正する光量補正係数を記憶した記憶手段と、
前記感光材料を露光する際に、前記画像信号に基づいて制御される発光素子の発光量を、前記記憶手段から読み出した光量補正係数に基づいて補正する補正手段とを備えたことを特徴とする露光装置。
【発明の詳細な説明】
【技術分野】
【０００１】
本発明は、複数の発光素子が１列に並設されてなるライン状発光素子アレイを備えた露光ヘッドの発光量を補正する方法に関するものである。
【０００２】
また本発明は、上述のような光量補正方法を実施する露光装置に関するものである。
【背景技術】
【０００３】
従来、例えば特許文献１や特許文献２に示されるように、複数の発光素子が１列に並設されてなるライン状発光素子アレイからなる露光ヘッドを用いて、感光材料を露光する装置が公知となっている。この種の露光ヘッドにおいては、通常、ライン状発光素子アレイにレンズアレイが組み合わされ、該レンズアレイで集光した光を露光対象の感光材料に照射するようにしている。このレンズアレイは、ライン状発光素子アレイの発光素子から発せられた光を各々集光する複数の等倍結像レンズが、発光素子並び方向と略平行に並ぶ状態に集合されてなるものである。
【０００４】
そしてこのような露光ヘッドを用いる露光装置は、露光ヘッドから発せられた光が照射される位置に感光材料を保持し、この感光材料と露光ヘッドとを、ライン状発光素子アレイの発光素子並び方向（主走査方向）と略直交する副走査方向に相対移動させる副走査手段をさらに設けて構成されている。
【０００５】
ところで、上記ライン状発光素子アレイを構成する例えば有機ＥＬ発光素子等の発光素子においては、各素子間に発光特性の差が有ると、同じ発光指令信号が与えられても発光量が異なることになる。そうであると、上述のような露光装置において、主走査方向に互いに濃度やあるいは色相が等しい部分が存在する画像を露光する際、その部分に濃度段差や色相の段差が生じてしまう。そしてそのような段差は、副走査に伴って該副走査の方向に長く伸びて、いわゆる筋ムラとなって現れてしまう。
【０００６】
ライン状発光素子アレイから出射する光のアレイ長軸方向に亘る光量偏差を解消する方法として、従来、該アレイの各発光素子を共通の発光指令信号に基づいて一律点灯させ、そのとき各発光素子から出射した光の光量を測定して光量偏差特性を求め、ライン状発光素子アレイを実使用する際に、この偏差特性を解消するように各発光素子の発光量を補正する、という方法が知られている。
【０００７】
このような光量補正方法を実行する上では、ライン状発光素子アレイの発光素子を一律点灯させたときの各発光素子の発光量を正確に測定する必要があるが、これらの発光素子は非常に近接させて配置されているため、ある発光素子の発光量が、隣接素子の発光の影響を受けて不正確に測定されるという問題が起こり得る。図１は、ライン状発光素子アレイを構成する１２個の発光素子から発せられた光を、前述のようなレンズアレイに通して集光した場合の、レンズ結像面におけるアレイ長手方向光量分布の一例を示すものである。ここに示すように、ある発光素子の発光中心まで隣接素子からの発光の裾部分が伸びていると、この発光中心で当該素子の発光量を正確に測定しようとしても、その測定値は隣接素子からの発光の影響を受けて、実際よりも高めの値を取ってしまう。このような傾向は、発光素子がより密に配置されて、それらの配置ピッチが、レンズが絞れる最小のビーム径に近付くほどに小さくなると、より顕著になる。
【０００８】
隣接素子からの光の影響を受けずに、各発光素子の発光量を正確に測定するための方法として、従来、特許文献３に開示されている方法が知られている。この光量測定方法は、主走査方向に並べられた多数の発光素子に対して、スリットで受光幅を制限した光量検出センサを対向させて主走査方向に移動させ、そのとき発光素子を少なくとも隣接素子が点灯しないように間引き点灯させ、光量検出センサの出力に基づいて各発光素子の発光量を算出する、というものである。そしてこの方法においては、検出光量と発光素子との対応を取るために、走査移動する光量検出センサからの出力のピークを検出し、そのピーク検出に基づいて各発光素子の中心位置を特定するようにしている。
【特許文献１】特開平５−９２６２２号公報
【特許文献２】特開２０００−１３５７１号公報
【特許文献３】特許第３３７４６８７号公報
【発明の開示】
【発明が解決しようとする課題】
【０００９】
しかし、前述のように各発光素子毎の発光量を測定し均一化する方法においては、使用するレンズアレイのレンズ直径と発光素子ピッチが近い値となっている場合に、レンズ配置ピッチ周期（レンズが密接配置されている場合はレンズ直径ピッチとなる）の光量偏差を有効に補正できなくなる。以下、この点について詳しく説明する。
【００１０】
前述したレンズアレイは、通常、屈折率分布型レンズ等の複数のレンズが一方向に並設されたレンズ列が複数、レンズ並び方向と直角な方向に並設されてなる。そして隣接するレンズ列どうしは、１つのレンズ列のレンズ間のスペースに別のレンズ列のレンズが入り込む状態に配置される。つまり全体で見ると、各レンズが千鳥配列した状態になっている。ライン状発光素子アレイから発せられた光をそのようなレンズアレイに通すと、通過した露光光の光量は、レンズアレイの長軸（レンズ列の並び方向中央位置をレンズ並び方向に延びる軸）に沿って、レンズ配置ピッチを周期として変動するようになる。
【００１１】
レンズアレイの長軸と整合する状態に、つまり各発光素子の光軸がこの長軸上に有る状態に配されたライン状発光素子アレイに関しては、該長軸の両側の互いに千鳥配列しているレンズによって光量変動が相殺されるため、露光量の変動はさほど深刻なものとはならないが、該長軸から離れて配置されたライン状発光素子アレイに関してはそのような相殺の効果が低くなるので、露光量の変動が深刻なものとなる。このようにして露光量が変動すると、やはり、それが前述の筋ムラを発生させる原因となる。
【００１２】
図２は、上述のようにして生じる、レンズアレイ長軸方向に亘る光量偏差の一例を示すものである。ここで各曲線毎に付した数値は、レンズアレイ長軸に対するライン状発光素子アレイのオフセット量を示している。すなわち、±０μｍと示されているのが、レンズアレイ長軸と整合させてライン状発光素子アレイが配置された場合の光量偏差である。
【００１３】
また、上述のようにレンズが千鳥配列しているレンズアレイを用いる場合に限らず、ただ１つのレンズ列からなるレンズアレイを用いる場合でも、レンズアレイの長軸（この場合は、各レンズの光軸と交わってレンズ並び方向に延びる軸）から各発光素子の光軸がずれた状態にライン状発光素子アレイが配設される場合は、レンズアレイを通過した露光光の光量が、同様にレンズアレイの長軸に沿って、レンズ配置ピッチを周期として変動するようになる。
【００１４】
以下、上に説明したレンズアレイによる光量偏差を、図３、４および５を参照して詳しく説明する。図３は、レンズアレイによる光量偏差がほとんど無い場合に、ライン状発光素子アレイの発光素子を一律点灯させたときの検出光量分布例を示すものである。本例において、発光素子の並びピッチは０．１ｍｍである。この場合、各発光素子についての光量検出信号波形は、素子中心でピーク値を取る。これに対して、例えば図４に示すような光量偏差特性の有るレンズアレイを用いる場合、ライン状発光素子アレイの発光素子を一律点灯させたときの検出光量分布は、レンズアレイの光量偏差特性を反映して図５に示すようなものとなる。なお本例において、レンズアレイのレンズ配置ピッチ周期の光量偏差の周期は０．３ｍｍである。
【００１５】
図５から分かる通り、各発光素子についての光量検出信号波形はレンズアレイの光量偏差の影響を受けて、頂部で傾いたものとなることもある。すなわち、レンズアレイを通過した光量に傾斜が発生することになる。この発光素子内での光量傾斜は、発光素子の発光量をいかに調整しても形状を変えることはできないため、従来の光量補正方法では残留偏差として残り、露光画像上で筋ムラを発生させる原因となる。
【００１６】
以上、有機ＥＬ発光素子等の自己発光型の発光素子からなるアレイを用いた露光ヘッドにおける問題について説明したが、その種の発光素子アレイに限らず、液晶やＰＬＺＴ等の調光素子と光源との組み合わせからなる素子のアレイを用いた露光ヘッドにおいても、同様の問題が発生し得る。なお本明細書においては、上述の調光素子と光源との組み合わせからなる素子も、露光光を発する素子という意味で「発光素子」と称することとする。
【００１７】
本発明は上記の事情に鑑みて、ライン状発光素子アレイとレンズアレイが組み合わされてなる露光ヘッドにおいて、露光光のアレイ長軸方向に亘る光量偏差に起因する画像濃度ムラを目立たなくすることができる、露光ヘッドの光量補正方法を提供することを目的とする。
【００１８】
さらに本発明は、上述のような光量補正方法を実施できる露光装置を提供することを目的とする。
【課題を解決するための手段】
【００１９】
本発明による露光ヘッドの光量補正方法は、
前述したように複数の発光素子が１列に並設されてなり、各発光素子の発光量が、露光画像を担持する画像信号に基づいて独自に制御されるライン状発光素子アレイ、および、前記発光素子から発せられた光を各々集光する複数の等倍結像レンズが、前記発光素子の並び方向と略平行に並ぶ状態に集合されてなり、前記光を露光対象の感光材料上に集光させるレンズアレイを備えた露光ヘッドにおいて、
前記レンズアレイから出射した光の、発光素子の並び方向に亘る光量偏差による画像濃度ムラの視認性を低下させるように各発光素子の発光量を補正する方法であって、
前記各発光素子の発光量を、レンズアレイのレンズ配置ピッチ周期の光量偏差が短周期化するように補正することを特徴とするものである。
【００２０】
なお、上述のように各発光素子の発光量を補正するためには、例えば、
前記ライン状発光素子アレイの各発光素子を、共通の発光指令信号に基づいて一律点灯させ、
そのとき前記レンズアレイから出射した光の光量を、発光素子の並びピッチ以下の測光ピッチでアレイ全長に亘って測定し、
これらの測定された光量を、２つの発光素子の間に有る境界位置毎に、発光素子の並びピッチと等しい区間について積分し、
各発光素子の光量補正係数を、少なくとも当該発光素子の両側に有る２つの前記境界位置について求められた積分光量に基づいて求め、
前記感光材料を露光する際に、前記画像信号に基づいて制御される発光素子の発光量を、当該発光素子についての前記光量補正係数に基づいて補正すればよい。
【００２１】
また、上記各発光素子についての光量補正係数を求める具体的な方法としては、
ライン状発光素子アレイにおけるn番目の発光素子と(n＋1)番目の発光素子との前記境界位置をn/n＋1とし、境界位置n/n＋1における前記積分光量をＬ（n/n＋1）としたとき、
全ての前記境界位置における積分光量の平均値Ｌ０を求め、
境界位置n/n＋1についての光量補正係数をＫ（n/n＋1）＝１−Ｌ（n/n＋1）／Ｌ０として求め、
n番目の発光素子についての前記光量補正係数Ｐnを、Ｑを係数として、
Ｐn＝１−Ｑ｛−Ｋ（n−2/n−1）＋Ｋ（n−1/n）＋Ｋ（n/n＋1）−Ｋ（n＋1/n＋2）｝
として求める方法が挙げられる。
【００２２】
なお、本発明はレンズアレイに起因する発光素子内光量傾きによる光量偏差を軽減させるものであり、発光素子自体の発光量バラツキが大きい場合には、各発光素子の発光量を上述のように補正する前に、各発光素子の発光量を均一化させるための補正を実施することが望ましい。
【００２３】
一方、上述した露光ヘッドの光量補正方法を実施する本発明の露光装置は、
複数の発光素子が１列に並設されてなり、各発光素子の発光量が、露光画像を担持する画像信号に基づいて独自に制御されるライン状発光素子アレイ、および、前記発光素子から発せられた光を各々集光する複数の等倍結像レンズが、前記発光素子の並び方向と略平行に並ぶ状態に集合されてなり、前記光を露光対象の感光材料上に集光させるレンズアレイを備えた露光ヘッドと、
この露光ヘッドと前記感光材料とを、前記発光素子の並び方向と略直交する方向に相対移動させる副走査手段と、
前記ライン状発光素子アレイの各発光素子の発光量を、レンズアレイのレンズ配置ピッチ周期の光量偏差が短周期化するように補正する光量補正係数を記憶した記憶手段と、
前記感光材料を露光する際に、前記画像信号に基づいて制御される発光素子の発光量を、前記記憶手段から読み出した光量補正係数に基づいて補正する補正手段とを備えたことを特徴とするものである。
【発明の効果】
【００２４】
図１６は、前述した筋ムラのような周期的濃度偏差に対する人間の視認特性を示すものである。この特性は観察距離が１５ｃｍの場合のもので、横軸は濃度偏差の空間周波数を、縦軸は視認限界の光学濃度差を示している。ここに示される通り、濃度偏差周波数が０．７ｃ（サイクル）／ｍｍ辺りで濃度偏差視認性は最大（最も小さな濃度差まで視認できる）となり、そこから周波数が高くなるにつれて濃度偏差視認性はより低くなる。
【００２５】
ここで、前述したようにレンズアレイのレンズ配置ピッチを周期として生じる筋ムラの空間周波数は、レンズ直径が通常１ｍｍに満たないこと等の要因から、一般には１ｃ／ｍｍより大である。図１６において空間周波数が１ｃ／ｍｍより大の領域では、空間周波数が高くなるにつれて、つまり濃度偏差の周期が短くなるにつれて、濃度偏差視認性は次第に低下する。
【００２６】
この知見に鑑みて、本発明による露光ヘッドの光量補正方法は、レンズアレイに起因する発光素子内光量傾きによるレンズアレイのレンズ配置ピッチ周期の光量偏差が短周期化するように、各発光素子の発光量を補正しているので、露光画像上での筋ムラの視認性を低減することが可能となる。
【発明を実施するための最良の形態】
【００２７】
以下、図面を参照して本発明の実施の形態を説明する。図６および図７はそれぞれ、本発明の一実施形態による有機ＥＬ露光装置５の一部破断正面形状、一部破断側面形状を示すものであり、図８はそこに用いられたレンズアレイ７の平面形状を示すものである。
【００２８】
先ず、これらの図６〜８を参照して、有機ＥＬ露光装置５の基本構成について説明する。図示の通りこの露光装置５は、露光ヘッド１と、この露光ヘッド１から出射した露光光２の照射を受ける位置に保持したカラー感光材料３を、図７の矢印Ｙ方向に定速で搬送する、例えばニップローラ等からなる副走査手段４とを備えている。
【００２９】
上記露光ヘッド１は、有機ＥＬパネル６と、該有機ＥＬパネル６から出射した露光光２を受ける位置に配されて、この露光光２による像をカラー感光材料３の上に等倍で結像させる屈折率分布型レンズアレイ７と、このレンズアレイ７および有機ＥＬパネル６を保持する保持手段８（図７では省略）とを備えている。
【００３０】
等倍レンズアレイである屈折率分布型レンズアレイ７は、その平面図である図８にも詳しく示される通り、露光光２を集光する微小な屈折率分布型レンズ７ａを副走査方向Ｙと直交する主走査方向（矢印Ｘ方向）に多数並設してなるレンズ列が、合計２列配設されてなるものである。この屈折率分布型レンズアレイ７においては、屈折率分布型レンズ７ａが千鳥配列されている。つまり、一方のレンズ列を構成する複数の屈折率分布型レンズ７ａは、他方のレンズ列を構成する複数の屈折率分布型レンズ７ａの間に位置するように配されている。
【００３１】
本実施形態の露光装置５は、一例としてフルカラーポジ型銀塩写真感光材料であるカラー感光材料３にカラー画像を露光するもので、露光ヘッド１を構成する有機ＥＬパネル６は、副走査方向Ｙに並べて配設された赤色ライン状発光素子アレイ６Ｒ、緑色ライン状発光素子アレイ６Ｇおよび青色ライン状発光素子アレイ６Ｂを備えている。これらのライン状発光素子アレイ６Ｒ、６Ｇおよび６Ｂはそれぞれ、主走査方向Ｘに多数の赤色有機ＥＬ発光素子、緑色有機ＥＬ発光素子および青色有機ＥＬ発光素子が並設されてなるものである。
【００３２】
なお図６および図７では、上記発光素子の１つを代表的に有機ＥＬ発光素子20として示してある。各有機ＥＬ発光素子20は、ガラス等からなる透明基板10の上に、透明陽極21、発光層を含む有機化合物層22、および金属陰極23が順次蒸着により積層されてなるものである。そして、上記発光層として各々赤色光、緑色光および青色光を発するものが適用されることにより、それぞれ赤色有機ＥＬ発光素子、緑色有機ＥＬ発光素子および青色有機ＥＬ発光素子が形成されている。
【００３３】
ライン状発光素子アレイ６Ｒ、６Ｇおよび６Ｂは、図６に示す駆動回路30によって駆動される。すなわち駆動回路30は、走査電極となる金属陰極23を所定の周期で順次ON状態に設定する陰極ドライバと、信号電極となる透明陽極21をフルカラー画像を示す画像データＤに基づいてON状態に設定する陽極ドライバとを備えてなるものであり、ライン状発光素子アレイ６Ｒ、６Ｇおよび６Ｂをいわゆるパッシブマトリクス(passive matrix)線順次選択駆動方式により駆動する。この駆動回路30の動作は、上記画像データＤを補正してデータＤ′として出力する制御部31によって制御される。なお、この画像データＤの補正については、後に詳しく説明する。
【００３４】
各有機ＥＬ発光素子20を構成する要素は、例えばステンレス製の缶等からなる封止部材25内に配置されている。つまり、この封止部材25の縁部と透明基板10とが接着され、乾燥窒素ガスが充填された封止部材25内に有機ＥＬ発光素子20が封止されている。
【００３５】
上記構成の有機ＥＬ発光素子20において、金属陰極23と、それを横切るように延びる透明陽極21との間に電圧が印加されると、電圧が印加された両電極の交差部分毎に有機化合物層22に電流が流れ、そこに含まれる発光層が発光する。この発光光は透明陽極21および透明基板10を透過して、露光光２として素子外に出射する。
【００３６】
ここで透明陽極21は、４００ｎｍ〜７００ｎｍの可視光の波長領域において、少なくとも５０％以上、好ましくは７０％以上の光透過率を有するものが好ましい。透明陽極21の材料としては、酸化錫、酸化錫インジウム（ＩＴＯ）、酸化亜鉛インジウム等、透明電極材料として従来公知の化合物を適宜用いることができるが、その他、金や白金など仕事関数が大きい金属からなる薄膜を用いてもよい。また、ポリアニリン、ポリチオフェン、ポリピロールまたはこれらの誘導体などの有機化合物を用いることもできる。なお、沢田豊監修「透明導電膜の新展開」シーエムシー社刊（１９９９年）には、透明導電膜について詳細な記載があり、そこに示されているものを本発明に適用することも可能である。また透明陽極21は、真空蒸着法、スパッタリング法、イオンプレーティング法などによって透明基板10上に形成することができる。
【００３７】
一方、有機化合物層22は、発光層のみからなる単層構造であってもよいし、発光層の他に、ホール注入層、ホール輸送層、電子注入層、電子輸送層等のその他の層を適宜有する積層構造であってもよい。有機化合物層22および電極の具体的な層構成としては、陽極／ホール注入層／ホール輸送層／発光層／電子輸送層／陰極とする構成や、陽極／発光層／電子輸送層／陰極、陽極／ホール輸送層／発光層／電子輸送層／陰極とする構成等が挙げられる。また、発光層、ホール輸送層、ホール注入層、電子注入層は、それぞれ複数設けられてもよい。
【００３８】
金属陰極23は、仕事関数の低いＬｉ、Ｋなどのアルカリ金属、Ｍｇ、Ｃａなどのアルカリ土類金属、およびこれらの金属とＡｇやＡｌなどとの合金や混合物等の金属材料から形成されるのが好ましい。陰極における保存安定性と電子注入性とを両立させるために、上記材料で形成した電極を、仕事関数が大きく導電性の高いＡｇ、Ａｌ、Ａｕなどで更に被覆してもよい。なお、金属陰極23も透明陽極21と同様に、真空蒸着法、スパッタ法、イオンプレーティング法などの公知の方法で形成することができる。
【００３９】
以下、上記構成を有する露光装置５の作動について説明する。なおここでは、ライン状発光素子アレイ６Ｒ、６Ｇおよび６Ｂの主走査方向画素数、つまり透明陽極21の並設数をｎとする。カラー感光材料３に画像露光する際、このカラー感光材料３は副走査手段４によって矢印Ｙ方向に定速で搬送される。またこのカラー感光材料３の搬送と同期させて、前述した駆動回路30の陰極ドライバにより、３本の金属陰極23の中の１つが順次ON状態に選択される。
【００４０】
このようにして第１番目の金属陰極23、つまり赤色ライン状発光素子アレイ６Ｒを構成する金属陰極23が選択されている期間内に、駆動回路30の陽極ドライバは第１，２，３・・・ｎの各透明陽極21を、第１主走査ラインの第１，２，３・・・ｎ番目の画素の赤色濃度を示す画像データＤに対応した時間（該時間には補正がかけられるが、それについては後述する）、定電流源に接続する。それにより該透明陽極21と金属陰極23との間の有機化合物層22（図６参照）に、画像データに対応したパルス幅の電流が流れ、該有機化合物層22から赤色光が発せられる。
【００４１】
こうして赤色ライン状発光素子アレイ６Ｒから発せられた赤色光である露光光２は、レンズアレイ７によってカラー感光材料３上に集光され、それにより、カラー感光材料３上において第１主走査ラインを構成する第１，２，３・・・ｎ番目の画素が赤色光で露光され、赤色に発色する。
【００４２】
次に第２番目の金属陰極23、つまり緑色ライン状発光素子アレイ６Ｇを構成する金属陰極23が選択されている期間内に、駆動回路30の陽極ドライバは第１，２，３・・・ｎの各透明陽極21を、第１主走査ラインの第１，２，３・・・ｎ番目の画素の緑色濃度を示す画像データに対応した時間、定電流源に接続する。それにより該透明陽極21と金属陰極23との間の有機化合物層22に、画像データに対応したパルス幅の電流が流れ、該有機化合物層22から緑色光が発せられる。
【００４３】
こうして緑色ライン状発光素子アレイ６Ｇから発せられた緑色光である露光光２は、レンズアレイ７によってカラー感光材料３上に集光され、それにより、カラー感光材料３上において第１主走査ラインを構成する第１，２，３・・・ｎ番目の画素が緑色光で露光され、緑色に発色する。なお、カラー感光材料３が前述のように定速搬送されているので、上記緑色光は、該カラー感光材料３の既に赤色光で露光されている部分の上に照射される。
【００４４】
次に第３番目の金属陰極23、つまり青色ライン状発光素子アレイ６Ｂを構成する金属陰極23が選択されている期間内に、駆動回路30の陽極ドライバは第１，２，３・・・ｎの各透明陽極21を、第１主走査ラインの第１，２，３・・・ｎ番目の画素の青色濃度を示す画像データに対応した時間、定電流源に接続する。それにより該透明陽極21と金属陰極23との間の有機化合物層22に、画像データに対応したパルス幅の電流が流れ、該有機化合物層22から青色光が発せられる。
【００４５】
こうして青色ライン状発光素子アレイ６Ｂから発せられた青色光である露光光２は、レンズアレイ７によってカラー感光材料３上に集光され、それにより、カラー感光材料３上において第１主走査ラインを構成する第１，２，３・・・ｎ番目の画素が青色光で露光され、青色に発色する。なお、カラー感光材料３が前述のように定速搬送されているので、上記青色光は、該カラー感光材料３の既に赤色光および緑色光で露光されている部分の上に照射される。以上の工程により、カラー感光材料３の上には、第１番目のフルカラーの主走査ラインが露光、記録される。
【００４６】
次いで金属陰極の線順次選択は第１番目の金属陰極23に戻り、該第１番目の金属陰極23、つまり赤色ライン状発光素子アレイ６Ｒを構成する金属陰極23が選択されている期間内に、駆動回路30の陽極ドライバは第１，２，３・・・ｎの各透明陽極21を、第２主走査ラインの第１，２，３・・・ｎ番目の画素の赤色濃度を示す画像データに対応した時間、定電流源に接続する。それにより該透明陽極21と金属陰極23との間の有機化合物層22に、画像データに対応したパルス幅の電流が流れ、該有機化合物層22から赤色光が発せられる。
【００４７】
こうして赤色ライン状発光素子アレイ６Ｒから発せられた赤色光である露光光２は、レンズアレイ７によってカラー感光材料３上に集光され、それにより、カラー感光材料３上において第２主走査ラインを構成する第１，２，３・・・ｎ番目の画素が赤色光で露光され、赤色に発色する。
【００４８】
以下は同様の操作が繰り返されて第２番目のフルカラーの主走査ラインが露光され、さらにそのようなカラー主走査ラインが副走査方向Ｙに次々と並べて露光され、カラー感光材料３上に多数の主走査ラインからなる２次元カラー画像が露光される。なお本実施形態では、上述した通り各色露光光がパルス幅変調されて、それらの発光量が画像データに対応して制御され、それによりカラーの階調画像が露光される。
【００４９】
次に、有機ＥＬ発光素子20の発光特性バラツキや、レンズアレイ７による光量偏差によって露光画像に生じる筋ムラを低減し、さらにその筋ムラの視認性を低下させる点について説明する。この露光装置は、以上説明した画像露光を行うのに先立って、光量補正のための測光処理にかけられる。図９および１０はそれぞれ、この測光処理を行う手段の正面形状および平面形状を示すものである。図示の通りこの測光手段50は、画像露光時にカラー感光材料３が配される位置と同じ位置に配される受光器51と、この受光器51を保持してガイド52に装荷された移動手段53と、受光器51の受光面の一部のみが覗く状態に該受光面を覆う遮光部材54とを備えてなるものである。
【００５０】
上記移動手段53は、ガイド52に沿ってレンズアレイ７のレンズ７ａの並び方向に間欠移動可能に形成されている。本例において、レンズ７ａの直径は３００μｍである。また各ライン状発光素子アレイ６Ｒ、６Ｇおよび６Ｂの有機ＥＬ発光素子20の寸法は８０×８０μｍ、その主走査方向並びピッチ（以下、素子ピッチという）は１００μｍであり、それに対して移動手段53の間欠移動のピッチ（測光ピッチ）は上記素子ピッチの１／２０の５μｍである。また遮光部材54は、移動手段53の移動方向と直角な方向に延びる細長いスリット54ａを有し、このスリット54の部分のみにおいて受光器51の受光面を露出させる。またこのスリット54ａの幅すなわち測光開口長は、上記測光ピッチと同じ５μｍとされている。
【００５１】
測光処理に際しては、先ず移動手段53がガイド52の一端側に配置される。そして例えば赤色ライン状発光素子アレイ６Ｒの全部の有機ＥＬ発光素子20が、共通の発光指令信号に基づいて一定の電流が供給されることにより、一律点灯される。次いで移動手段53が上述のように間欠移動し、停止する毎に受光器51により、レンズアレイ７から出射した光の光量が測定される。この受光器51が出力する光量測定信号は、図６に示した制御部31に入力される。
【００５２】
なお、上述のように受光器51を間欠移動させて測光する代わりに、図１１に示すように、細長い受光素子61が有機ＥＬ発光素子20の並び方向に並設されてなる受光素子アレイ60を用いることもできる。その場合は受光素子61の幅が測光開口長となり、受光素子61の配置ピッチが測光ピッチとなる。
【００５３】
図６に示した制御部31は、受光器51から入力された光量測定信号を図示外の内部メモリに一旦記憶し、まず光量偏差を低減させる発光量補正を行うために、各有機ＥＬ発光素子20毎に、その素子ピッチと等しい区間について積分する。具体的に本実施形態では、１つの有機ＥＬ発光素子20について、その素子中心から主走査方向一方側に１０点、他方側に１０点の合計２０個の測光点に関する測定光量を合計し、それに１／２０を乗じた平均値（移動平均値）を当該有機ＥＬ発光素子20についての積分値とする。
【００５４】
なおこの場合、有機ＥＬ発光素子20の中心位置を正確に求める必要はなく、あくまでも上記２０個の測定点が当該有機ＥＬ発光素子20の中心から左右に１０点ずつ分布したものであることが確認できればよい。そのためには例えば、光量の極大値が測定された測定点Ａと、その測定点の２つの隣接測定点のうち測定光量がより大である方の測定点Ｂとの間に発光素子中心が存在するとみなし、測定点Ａから発光素子中心と反対側に１０点（測定点Ａを含む）および、測定点Ｂから発光素子中心と反対側に１０点（測定点Ｂを含む）の合計２０点に関する測定光量を移動平均値の算出に供すればよい。
【００５５】
仮に赤色ライン状発光素子アレイ６Ｒの全部の有機ＥＬ発光素子20に発光特性バラツキが無く、かつレンズアレイ７による光量偏差も無い場合、受光器51が出力する光量測定信号の分布は、前記図３のようになる。そして、そのときの上記移動平均値を結んだ線を平滑化すると、概略図１２に示すようなものとなる。それに対して、有機ＥＬ発光素子20に発光特性バラツキが無く、かつレンズアレイ７が図４に示すような光量偏差特性を有する場合、受光器51が出力する光量測定信号の分布は前記図５のようになる。そして、そのときの上記移動平均値を結んだ線を平滑化すると、概略図１３に示すようなものとなる。この図１３に示される通り、レンズアレイ７から出射した光は、該レンズアレイ７のレンズ直径（本例ではこれがレンズ配置ピッチとなっている）を周期とする光量偏差を有する。
【００５６】
図１３に示す特性は、主走査方向に亘る赤色ライン状発光素子アレイ６Ｒの発光特性とレンズアレイ７による光量偏差特性とを併せたものであり、制御部31はこの特性に基づいて、各有機ＥＬ発光素子20毎の光量補正係数Ｓを求める。ここで、赤色ライン状発光素子アレイ６Ｒのn番目の有機ＥＬ発光素子20に関する光量補正係数を、Ｓnとして表す。この光量補正係数Ｓnは、例えばある一定の定数を、上記特性における各有機ＥＬ発光素子20毎の値で除した値とされ、その光量補正係数Ｓnは制御部31内のメモリに記憶される。
【００５７】
ここで、前述したように画像データＤに基づいて画像露光を行うとき、制御部31が、赤色ライン状発光素子アレイ６Ｒのある有機ＥＬ発光素子20を発光させるための画像データＤに、その有機ＥＬ発光素子20に関する上記光量補正係数Ｓnを乗じて、補正データＤ′に変換したと仮定する。つまりその場合は、駆動回路30に補正データＤ′が入力され、各有機ＥＬ発光素子20はこの補正データＤ′に基づいて発光量が制御されることになる。
【００５８】
図１４には一例として、上記画像データＤが赤色ライン状発光素子アレイ６Ｒの全有機ＥＬ発光素子20を一律発光させるものである場合に、補正データＤ′に基づいて全有機ＥＬ発光素子20を発光させた場合の発光量分布特性を、１２素子について示す。その場合に、前述した移動平均値の分布を求めると概略図１５に示すようなものとなり、図１２に示した分布に近付いていることが分かる。
【００５９】
以上、赤色ライン状発光素子アレイ６Ｒに関する発光量補正について説明したが、その他の緑色ライン状発光素子アレイ６Ｇおよび青色ライン状発光素子アレイ６Ｂに関しても、同様の光量補正係数Ｓnを求める処理がなされる。そして画像露光時に、それらの光量補正係数Ｓnに基づいて上記と同様の補正を行ったとすると、ライン状発光素子アレイ６Ｇおよび６Ｂにおいても、各有機ＥＬ発光素子20の発光量は、図１３に示したような光量偏差特性を解消するように補償され、この光量偏差特性によって露光画像に生じる筋ムラが低減されることになる。
【００６０】
しかし、図１５に示される通り、レンズアレイ７から出射した光の光量偏差は、上記補正を行わない場合より低減されるものの、依然として該レンズアレイ７のレンズ直径を周期とする光量偏差が僅かに残されている。図１７は、この移動平均値の分布状態を拡大して、有機ＥＬ発光素子20の発光特性（破線部）と合わせて分かりやすく示すものであり、有機ＥＬ発光素子20の中心位置での積分値は均一化されているが、発光素子内での光量傾きにより、レンズ直径を周期とする光量偏差が残っていることが分かる。本実施形態においては、この小さな光量偏差による筋ムラも視認し難くするために、さらなる発光量補正を行う。以下、その補正について詳しく説明する。
【００６１】
ここではまず、赤色ライン状発光素子アレイ６Ｒに関して説明する。赤色ライン状発光素子アレイ６Ｒの全部の有機ＥＬ発光素子20は、共通の発光指令信号に基づいて電流が供給されることにより、一律点灯される。このとき、各有機ＥＬ発光素子20を一律点灯させるための発光指令信号には、前述の光量補正係数Ｓnが乗じられる。これは、前述の画像データＤを補正データＤ′に変換する処理に相当する。次いで図９および１０に示した測光手段50により、レンズアレイ７から出射した光の光量が測定される。このときも移動手段53の間欠移動ピッチつまり測光ピッチは５μｍとされ、受光器51が出力する光量測定信号は、図６に示した制御部31に入力される。
【００６２】
図６に示した制御部31は、受光器51から入力された光量測定信号を図示外の内部メモリに一旦記憶し、２つの有機ＥＬ発光素子20の間に有る境界位置毎に、その素子ピッチと等しい区間について積分する。具体的に本実施形態では、上述のような境界位置から主走査方向一方側に１０点、他方側に１０点の合計２０個の測光点に関する測定光量を合計し、それに１／２０を乗じた平均値（移動平均値）を当該境界位置についての積分値とする。
【００６３】
なおこの場合も、２つの有機ＥＬ発光素子20間の所定の境界位置を正確に求める必要はなく、あくまでも上記２０個の測定点が当該境界位置から左右に１０点ずつ分布したものであることが確認できればよい。
【００６４】
図６に示した制御部31はこの特性に基づいて、各有機ＥＬ発光素子20毎の光量補正係数を求める。このとき制御部31は、まず上記の境界位置についての光量補正係数Ｋを求める。ここでは、赤色ライン状発光素子アレイ６Ｒにおけるn番目の有機ＥＬ発光素子20と(n＋1)番目の有機ＥＬ発光素子20との境界位置をn/n＋1とし、境界位置n/n＋1における前記移動平均値をＬ（n/n＋1）としたとき、全ての境界位置における移動平均値の平均値Ｌ０を求め、境界位置n/n＋1についての光量補正係数をＫ（n/n＋1）＝１−Ｌ（n/n＋1）／Ｌ０として定義する。そして制御部31は、この境界位置についての光量補正係数Ｋに基づいて、n番目の発光素子についての光量補正係数Ｐnを、
Ｐn＝１−Ｑ｛−Ｋ（n−2/n−1）＋Ｋ（n−1/n）＋Ｋ（n/n＋1）−Ｋ（n＋1/n＋2）｝
として求める。なおＱは係数である。この光量補正係数Ｐnは、制御部31内のメモリに記憶される。
【００６５】
制御部31は、前述したように画像データＤに基づいて画像露光を行うとき、赤色ライン状発光素子アレイ６Ｒのn番目の有機ＥＬ発光素子20を発光させるための画像データＤに、その有機ＥＬ発光素子20に関する上記光量補正係数Ｐnを乗じて、補正データＤ″とする。そこで駆動回路30にはこの補正データＤ″が入力され、各有機ＥＬ発光素子20はこの補正データＤ″に基づいて発光量が制御される。
【００６６】
以上、赤色ライン状発光素子アレイ６Ｒに関する発光量補正について説明したが、その他の緑色ライン状発光素子アレイ６Ｇおよび青色ライン状発光素子アレイ６Ｂに関しても、同様の光量補正係数Ｐnを求める処理および、その光量補正係数Ｐnに基づく光量補正処理がなされる。それにより、画像露光時のライン状発光素子アレイ６Ｒ、６Ｇおよび６Ｂの各有機ＥＬ発光素子20の発光量は、発生する筋ムラの周期が補正前より短くなるように補正され、露光画像に発生する筋ムラが視認され難くなる。その理由は、先に図１６を参照して説明した通りである。
【００６７】
また上記光量補正係数Ｐnを求める際、有機ＥＬ発光素子20を一律点灯させるための発光指令信号には、前述の光量補正係数Ｓnが乗じられていたので、画像露光時のライン状発光素子アレイ６Ｒ、６Ｇおよび６Ｂの各有機ＥＬ発光素子20の発光量は、発生する筋ムラを低減するようにも補正される。
【００６８】
なお、上述のように筋ムラを低減する補正を行うことは必ずしも必要ではないが、そのような補正を行うことがより好ましいことは勿論である。また、その種の補正を行う場合、その補正方法は本実施形態で適用したもの、つまり光量補正係数Ｓnによる補正方法に限られるものではなく、その他の手法による補正が適用されてもよい。
【００６９】
次に、上記光量補正係数Ｐnについてより詳しく説明する。図１７に示したような光量偏差を解消するためには、図１８に示すように、光量が大となっている境界位置例えば境界位置n/n＋1の光量を下げることが必要であり、そのためには、n番目および(n＋1)番目の有機ＥＬ発光素子20の発光量を低下させればよい。しかし、それら２つの有機ＥＬ発光素子20の発光量を低下させると、境界位置n−1/nと境界位置n＋1/n＋2の光量も低下してしまうので、（n−1）番目および（n＋2）番目の有機ＥＬ発光素子20の発光量を増大させる必要が生じる。
【００７０】
そこで、境界位置n/n＋1についての光量補正係数をＫ（n/n＋1）＝１−Ｌ（n/n＋1）／Ｌ０とした場合、図１９に分かりやすく示すように、光量補正係数Ｋ（n−2/n−1）およびＫ（n＋1/n＋2）には−（マイナス）の符号を与える一方、光量補正係数Ｋ（n−1/n）およびＫ（n/n＋1）には＋（プラス）の符号を与えて足し合わせ、それに重み付けの係数Ｑを付けたものを１から引いた値、すなわち
１−Ｑ｛−Ｋ（n−2/n−1）＋Ｋ（n−1/n）＋Ｋ（n/n＋1）−Ｋ（n＋1/n＋2）｝
をn番目の有機ＥＬ発光素子20についての光量補正係数Ｐnとすれば、上述の要求が満足されることになる。
【００７１】
なお、１つの境界位置に関する測定光量がその境界位置の両側の２つの有機ＥＬ発光素子20の発光量制御に反映されるから、上記重み付けの係数Ｑは０．５が標準的な値となる。ただし適正な重み付けの値は、有機ＥＬ発光素子20が発する光ビームの広がり形状に依存するので、使用する発光素子アレイおよびレンズアレイの特性に応じてＱの値を調整することにより、補正効果を高めることができる。実験的には、このＱの値は０．３〜０．７の範囲にあることが望ましい。
【００７２】
以上の光量補正を行うことにより、前述した移動平均値の分布は概略図２０に示すようなものとなる。これを図１５に示した移動平均値分布と比較すると、レンズ直径周期（３００μｍ）の光量偏差がその１／２周期（１５０μｍ）の光量偏差に変換されていることが分かる。この光量偏差周期の変化を図１６に示した濃度偏差周波数の変化として捕らえると、３．３ｃ／ｍｍから６．６ｃ／ｍｍへの変化となり、同図から明らかな通り、例えば観察距離１５ｃｍにおける視認限界濃度差が０．０２１から０．２３に変わることになる。つまりこの光量補正を行うことにより、補正前と比較して、筋ムラの濃度が光学濃度で約１０倍ほど高くなければ濃度ムラとして視認できないことになる。言い換えれば、光量偏差の視認性が約１／１０に低減することになる。
【００７３】
次に、上記濃度偏差周波数の変化について詳しく説明する。図２１は、上記露光装置において、ライン状発光素子アレイ６Ｒの全部の有機ＥＬ発光素子20を光量補正無し、有りの状態で一律発光させ、それらの各場合にレンズアレイ７を経た光を光検出器で検出し、その光検出信号を高速フーリエ変換した結果を示すものである。図中、破線、細実線、太実線がそれぞれ、光量補正無し、前記光量補正係数Ｓnによる光量補正有り、光量補正係数Ｐnによる光量補正有り、の場合の結果を示している。
【００７４】
同図において高いエネルギーが集中している１０ｃ／ｍｍの空間周波数成分は、１００μｍのピッチで並設されている有機ＥＬ発光素子20の繰り返しに起因する光量偏差成分、また３．３ｃ／ｍｍの空間周波数成分は３００μｍのピッチで並設されているレンズ７ａの繰り返しに起因する光量偏差成分、そして６．６ｃ／ｍｍの空間周波数成分は上記レンズ７ａの繰り返しに起因する光量偏差が光量補正係数Ｐnによる光量補正で短周期化された成分である。
【００７５】
ここに示される通り、レンズ７ａの繰り返しに起因する光量偏差は、光量補正係数Ｓnによる光量補正や、光量補正係数Ｐnによる光量補正を行うことにより、明らかに低減することが分かる。また、光量補正係数Ｓnによる光量補正を行った場合と、光量補正係数Ｐnによる光量補正を行った場合とを比較すると、光量補正係数Ｓnによる光量補正では十分に除去できない３．３ｃ／ｍｍの空間周波数成分の多くが、光量補正係数Ｐnによる光量補正を行うことにより、より短周期で視認され難い６．６ｃ／ｍｍの空間周波数成分に変換されていることが分かる。
【００７６】
次に図２２は、上記露光装置において、ライン状発光素子アレイ６Ｒ、６Ｇおよび６Ｂを画像データに基づいて発光させてカラー感光材料３に階調画像を露光し、その画像を読み取った画像信号を高速フーリエ変換した結果を示すものである。図中、破線、細実線、太実線がそれぞれ、光量補正無し（前記画像データＤで画像露光）、光量補正係数Ｓnによる光量補正有り（前記画像データＤ′で画像露光）、光量補正係数Ｐnによる光量補正有り（前記画像データＤ″で画像露光）、の場合の結果を示している。
【００７７】
この場合も、光量補正係数Ｓnによる光量補正では十分に除去できない３．３ｃ／ｍｍの空間周波数成分の多くが、光量補正係数Ｐnによる光量補正を行うことにより、より短周期で視認され難い６．６ｃ／ｍｍの空間周波数成分に変換されていることが明らかである。
【００７８】
なお、上述のような光量補正係数Ｐnを求める処理は、例えば露光装置を工場から出荷する前に行い、それを各有機ＥＬ発光素子20と対応を取って制御部31内の記憶手段に記憶させておき、露光装置を実使用する際にその光量補正係数Ｐnに基づいて画像データＤを画像データＤ″に変換する補正を行えばよい。また、測光手段50等を露光装置に組み込んでおき、露光装置が実使用に供されるようになってからも、適宜の時間間隔で上記光量補正係数Ｐnを求める処理を行い、記憶されている光量補正係数Ｐnを逐次新しいものに変更して行くようにしてもよい。そのようにすれば、有機ＥＬ発光素子20の発光特性の経時変化にも対応して、より適正な光量補正を行うことが可能になる。
【００７９】
また上記画像データＤは、前述した通り有機ＥＬ発光素子20の発光時間を制御するデータであるが、画像データＤに基づいて有機ＥＬ発光素子20の駆動電圧や駆動電流を制御することによって有機ＥＬ発光素子20の発光量を制御することも可能であり、本発明はそのような場合に適用することもできる。また、そのような画像データＤを補正データＤ″に補正してから駆動回路30に入力する代わりに、駆動回路30には画像データＤをそのまま入力し、この駆動回路30において画像データＤが示す有機ＥＬ発光素子20の発光時間、駆動電圧あるいは駆動電流等を光量補正係数Ｐnに基づいて補正するようにしてもよい。
【００８０】
なお、上記実施形態の露光装置は、有機ＥＬ発光素子からなるライン状発光素子アレイを用いてフルカラーポジ型銀塩写真感光材料であるカラー感光材料３に画像露光するものであるが、本発明の露光装置は、それ以外のカラー感光材料に画像露光するものとして形成することも可能である。またライン状発光素子アレイも、有機ＥＬ発光素子からなるものに限らず、その他の発光素子からなるライン状発光素子アレイを用いることも可能である。
【図面の簡単な説明】
【００８１】
【図１】ライン状発光素子アレイから発せられた光の、アレイ長手方向光量分布例を示すグラフ
【図２】レンズアレイを経た光の、アレイ長軸方向に亘る光量偏差の一例を示すグラフ
【図３】ライン状発光素子アレイを一律点灯させたときの検出光量分布例を示すグラフ
【図４】レンズアレイの光量偏差特性の例を示すグラフ
【図５】ライン状発光素子アレイを一律点灯させたときの検出光量分布例を示すグラフ
【図６】本発明の一実施形態による有機ＥＬ露光装置の一部破断正面図
【図７】上記有機ＥＬ露光装置の一部破断側面図
【図８】上記露光装置におけるライン状発光素子アレイの配置状態を示す部分平面図
【図９】上記露光装置において、露光ヘッドからの光を測定する測光手段の正面図
【図１０】上記測光手段の平面図
【図１１】測光手段の別の例を示す平面図
【図１２】光量測定信号の移動平均値の分布例を示すグラフ
【図１３】光量測定信号の移動平均値の別の分布例を示すグラフ
【図１４】発光量を均一化する光量補正がなされて点灯されたライン状発光素子アレイの発光量分布特性を示すグラフ
【図１５】発光量を均一化する光量補正がなされたときの光量測定信号の移動平均値の分布例を示すグラフ
【図１６】人間の濃度偏差視認特性を示すグラフ
【図１７】本発明で使用される光量補正係数の求め方を説明する図
【図１８】本発明で使用される光量補正係数の求め方を説明する図
【図１９】本発明で使用される光量補正係数の求め方を説明する図
【図２０】本発明による光量補正がなされたときの光量測定信号の移動平均値の分布例を示すグラフ
【図２１】本発明による光量補正がなされたときの光量測定信号を高速フーリエ変換した結果を示すグラフ
【図２２】本発明による光量補正がなされて露光された画像の読取信号を高速フーリエ変換した結果を示すグラフ
【符号の説明】
【００８２】
１    露光ヘッド
２    露光光
３    カラー感光材料
４    副走査手段
６    有機ＥＬパネル
６Ｒ  赤色ライン状発光素子アレイ
６Ｇ  緑色ライン状発光素子アレイ
６Ｂ  青色ライン状発光素子アレイ
７    屈折率分布型レンズアレイ
７ａ  屈折率分布型レンズ
20    有機ＥＬ発光素子
21    透明陽極
22    有機化合物層
23    金属陰極
30    駆動回路
31    制御部
50    測光手段
51    受光器
52    ガイド
53    移動手段
54    遮光部材
60    受光素子アレイ
61    受光素子
【図１】
2006240214.tif 000003
【図２】
2006240214.tif 000004
【図３】
2006240214.tif 000005
【図４】
2006240214.tif 000006
【図５】
2006240214.tif 000007
【図６】
2006240214.tif 000008
【図７】
2006240214.tif 000009
【図８】
2006240214.tif 000010
【図９】
2006240214.tif 000011
【図１０】
2006240214.tif 000012
【図１１】
2006240214.tif 000013
【図１２】
2006240214.tif 000014
【図１３】
2006240214.tif 000015
【図１４】
2006240214.tif 000016
【図１５】
2006240214.tif 000017
【図１６】
2006240214.tif 000018
【図１７】
2006240214.tif 000019
【図１８】
2006240214.tif 000020
【図１９】
2006240214.tif 000021
【図２０】
2006240214.tif 000022
【図２１】
2006240214.tif 000023
【図２２】
2006240214.tif 000024